(57)【要約】【課題】ユーザが現在視聴していない放送局の放送電波であっても、受信状態を容易に知ることができ、ユーザが再生の指示を行った場合には直ちに良好に再生を行う。【解決手段】放送局からの放送電波を受信してデータを再生する放送受信装置において、放送電波の受信中に受信状態が悪化した場合、別異の放送電波を受信してのデータの再生、あるいは記録媒体のデータの再生に切り替えると共に、切り替えた後のデータの再生中に、切り替える前の放送電波を受信して良好に再生可能な受信状態に復帰したか否かをチェックして、その旨を通知する受信状態チェック部１０を備えた。【選択図】図１
2012109756.tif 000002
【特許請求の範囲】
【請求項１】
放送局からの放送電波を受信してデータを再生する放送受信装置において、
放送電波の受信中に受信状態が悪化した場合、ユーザによる切り替えにより、記録媒体に予め記憶されたデータの再生、あるいは別異の放送電波を受信してのデータの再生に切り替えると共に、
切り替えた後のデータの再生中に、切り替える前の放送電波を受信して良好に再生可能な受信状態に復帰したか否かをチェックする受信状態チェック部と、
良好に再生可能な受信状態に復帰した場合、その旨を表示する受信状態表示部とを備えたことを特徴とする放送受信装置。
【請求項２】
請求項１記載の放送受信装置において、
前記受信状態チェック部は、前記受信状態が悪化した放送電波を特定する情報を記憶して、当該放送電波をチェック対象とすることを特徴とする放送受信装置。
【請求項３】
請求項２記載の放送受信装置において、
放送局毎に放送されている番組に関する情報を取得する番組情報取得部を有し、
前記受信状態チェック部は、前記受信状態が悪化した放送電波で放送されていた番組の放送が終了した場合には、当該放送電波をチェック対象から除くことを特徴とする放送受信装置。
【請求項４】
請求項２記載の放送受信装置において、
放送電波毎に放送されている番組に関する情報を取得する番組情報取得部を有し、
前記受信状態チェック部は、前記受信状態が悪化した放送電波で放送されていた番組の放送が終了した場合には、受信状態チェック後の表示が禁止されることを特徴とする放送受信装置。
【請求項５】
請求項１乃至請求項４のいずれかに記載の放送受信装置において、
複数のチューナ部を有し、
前記受信状態チェック部は、前記複数のチューナ部のうち、放送電波の再生を行っていないチューナ部を用いてチェック対象の放送電波の受信状態をチェックすることを特徴とする放送受信装置。
【請求項６】
請求項１乃至請求項５のいずれかに記載の放送受信装置において、
前記受信状態チェック部は、所定時間毎に受信状態のチェックを行うことを特徴とする放送受信装置。
【発明の詳細な説明】
【技術分野】
【０００１】
本発明は、放送受信装置に係り、特に放送局からの放送電波を受信してデータを再生する放送受信装置に関する。
【背景技術】
【０００２】
従来、視聴者は、テレビ局やラジオ局などの放送局からの放送電波を受信して再生を行う機能を備えた車載機器においては、実際に放送電波を受信して再生を行わせ、あるいは、ボタン操作などにより受信状態を表示させることにより、所望の放送局の放送電波の受信状態が良好であるか否かを判断していた（例えば、特許文献１参照。）。
【先行技術文献】
【特許文献】
【０００３】
【特許文献１】特開２００８−１４８１９７号公報
【発明の概要】
【発明が解決しようとする課題】
【０００４】
従来の放送受信装置においては、例えば、あるラジオ放送局からの放送電波を受信している際に、視聴者であるユーザが受信状態が悪くなったと感じて、ラジオ放送の受信をやめ、ユーザによる切り替えにより、ＣＤプレーヤやテレビなどの他の再生装置に切り替える等して、当該ラジオ放送の視聴をやめた場合には、再度そのラジオ放送局からの放送電波の受信状態が良好となったとしても、ユーザが再びそのラジオ放送の受信を再開したり、ボタン操作などにより受信状態を表示させない限りは、受信状態が良好に回復したとしてもそれを知る術がなかった。
【０００５】
そこで、本発明の目的は、上述した従来の技術が有する課題を解消し、ユーザが現在視聴していない放送局の放送電波であっても、例えば直近まで視聴していた放送電波の受信状態を容易に知ることができ、ユーザが再生の指示を行った場合には直ちに良好に再生を行うことが可能な放送受信装置を提供することにある。
【課題を解決するための手段】
【０００６】
上記課題を解決するため、本発明は、放送局からの放送電波を受信してデータを再生する放送受信装置において、放送電波の受信中に受信状態が悪化した場合、ユーザによる切り替えにより、記録媒体に予め記憶されたデータの再生、あるいは別異の放送電波を受信してのデータの再生に切り替えると共に、切り替えた後のデータの再生中に、切り替える前の放送電波を受信して良好に再生可能な受信状態に復帰したか否かをチェックする受信状態チェック部と、良好に再生可能な受信状態に復帰した場合、その旨を表示する受信状態表示部とを備えたことを特徴とする。
上記構成によれば、受信状態チェック部は、再生対象として指示されていない放送局からの放送電波を受信して受信状態をチェックし、当該放送電波を受信して良好に再生可能な受信状態にある場合に、その旨を受信状態表示部への表示により通知するので、もともと受信して再生していた放送が受信状態が悪くなって、視聴を取りやめた場合などに、受信状態が回復して視聴可能となった場合には、その旨が受信状態表示部への表示により通知されるので、確実に視聴を再開できる。
【０００７】
この場合において、前記受信状態チェック部は、前記受信状態が悪化した放送電波を特定する情報を記憶して、当該放送電波をチェック対象とする。
上記構成によれば、ユーザは手間をかけることなく、視聴が中断された放送の現在の受信状態を取得することが可能となる。
また、放送局毎に放送されている番組に関する情報を取得する番組情報取得部を有し、前記受信状態チェック部は、前記受信状態が悪化した放送電波を受信していた際に放送されていた番組の放送が終了した場合には、当該放送電波をチェック対象から除くことを特徴とする。
上記構成によれば、受信を中断した同一の番組の放送が終了した場合には、チェック対象から外されるので、ユーザが継続して視聴したかったであろう放送についてのみ、現在の受信状態が通知され、より利便性が向上する。
【０００８】
また、放送電波毎に放送されている番組に関する情報を取得する番組情報取得部を有し、前記受信状態チェック部は、前記受信状態が悪化した放送電波を受信していた際に放送されていた番組の放送が終了した場合には、受信状態チェック後の表示が禁止されることを特徴とする。
上記構成によれば、受信を中断した同一の番組の放送が終了した場合には、表示が禁止されるので、ユーザが継続して視聴したかったであろう放送についてのみ、現在の受信状態が表示され、より利便性が向上する。
【０００９】
また、複数のチューナ部を有し、前記受信状態チェック部は、前記複数のチューナ部のうち、放送電波の再生を行っていないチューナ部を用いてチェック対象の放送電波の受信状態をチェックすることを特徴とする。
上記構成によれば、視聴状態に影響を与えることなく、確実に受信状態をチェックすることができる。
また、前記受信状態チェック部は、所定時間毎に受信状態のチェックを行うことを特徴とする。
上記構成によれば、所定時間毎に受信状態が自動的にチェックされ、容易に受信状態が反映されてユーザの利便性が向上する。
【発明の効果】
【００１０】
本発明によれば、ユーザが現在視聴していない放送局の放送電波であっても、受信状態を容易に知ることができ、ユーザが再生の指示を行った場合には直ちに良好に再生を行うことができる。
【図面の簡単な説明】
【００１１】
【図１】放送受信装置としてのナビゲーションシステムの構成を示す機能ブロック図である。
【図２】動作処理フローチャートである。
【図３】同じく動作処理フローチャートである。
【図４】受信状態通知画面の一例の説明図である。
【発明を実施するための形態】
【００１２】
以下、図面を参照しつつ本発明の実施の形態について説明する。
図１は、放送受信装置としてのナビゲーションシステム１の構成を示す機能ブロック図である。
ナビゲーションシステム１は、移動体の一例としての自動車（車両）に搭載され、該車両の運転者に対して経路案内を行う装置である。
ナビゲーションシステム１は、ナビゲーションシステム１の各部を中枢的に制御する制御部１０と、車両の現在位置を検出する位置検出部２０と、放送局からの放送電波（ラジオ放送及びテレビ放送）を受信する放送受信部３０と、車両の運転者等により操作される複数の操作ボタン５１やタッチパネル（図示略）を有する操作部５０と、ＣＤ、ＤＶＤなどのディスク（記録媒体）の再生を行うディスク再生部６０と、を備えている。
【００１３】
制御部１０は、制御プログラムを実行することによりナビゲーションシステム１の各部を制御するＣＰＵ１１と、ＣＰＵ１１により実行される制御プログラムや当該制御プログラムの実行時に処理されるデータを不揮発的に記憶するＲＯＭ１２と、ＣＰＵ１１が実行するプログラムやＣＰＵ１１により処理されるデータを一時的に記憶するＲＡＭ１３と、を有し、さらに、制御部１０の動作に係るデータを記憶する記憶部１５を有する。
記憶部１５は、磁気的又は光学的記憶媒体若しくは半導体記憶デバイスにより構成され、各種のデータやプログラム等を不揮発的に記憶する。
【００１４】
この記憶部１５には、経路案内データベース１５ａ、放送電波に含まれており、放送受信部３０を介して受信した番組表データを記憶する番組情報データベース１５ｂおよびあらかじめ受信、再生対象の放送局としてユーザが選択した放送局を特定するためのプリセットチャネル情報及び放送受信部３０によって受信可能な放送局のリストを記憶したプリセットメモリ１５ｃ等が記憶される。ここで、経路案内データベース１５ａは、緯度と経度とを含む地図データ、地図上の道路や建物、地番に関するデータ、車両が走行可能な道路および道路と道路との接続関係を示すデータ等を格納したデータベースである。
【００１５】
また、プリセットメモリ１５ｃに記憶される放送局リストには、複数の放送局の局名、放送局の種別（ラジオ放送局あるいはテレビ放送局）、受信周波数を示す情報が放送局毎に対応づけて登録されている。この放送局リストは、制御部１０の制御に従って放送受信部３０がシーク動作を行うことで、随時更新され、新たに受信可能となった放送局の情報が登録されるとともに、受信できなくなった放送局の情報は放送局リストから消去される。
この結果、プリセットメモリ１５ｃに記憶されているプリセットチャネル情報により特定した放送局について、放送局リストを参照して、放送局の局名、受信周波数等に基づいて、放送受信部３０における受信処理および表示パネル４４への各種情報の表示がなされることとなる。
【００１６】
位置検出部２０は、ＧＰＳアンテナ２２を有するＧＰＳユニット２１と、ジャイロユニット２３とを備えている。ＧＰＳユニット２１は、ＧＰＳアンテナ２２を介してＧＰＳ衛星から送信される無線信号を受信し、この無線信号に重畳されたＧＰＳ信号から、上記車両の現在位置を示す位置座標と進行方向とを演算により取得する。ジャイロユニット２３は、ジャイロセンサー（図示略）を備え、ジャイロセンサーにより検出した上記車両の相対的な方位情報を制御部１０へ出力するものである。
【００１７】
インターフェース４８には、上記車両側から上記車両の走行状態を示す信号として、パーキングブレーキ信号１ａ及び車速パルス信号１ｂが入力される。これらの上記車両の走行状態を示す信号は、インターフェース４８を介して制御部１０に入力され、制御部１０は、パーキングブレーキ信号１ａ及び車速パルス信号１ｂに基づいて、上記車両が現在走行中であるか、停止中であるかを判別可能である。
【００１８】
放送受信部３０は、アンテナ３２Ａを介して指定された周波数のラジオ放送電波（例えば、ＡＭ波あるいはＦＭ波）を受信してラジオ放送信号を出力する第１のラジオチューナ３１Ａと、第１のラジオチューナ３１Ａと同一構成であり、アンテナ３２Ｂ介して指定された周波数のラジオ放送電波を受信してラジオ放送信号を出力する第２のラジオチューナ３１Ｂと、アンテナ３３を介して指定された周波数のテレビ放送電波を受信してテレビ放送信号を出力するテレビチューナ３４と、ラジオ放送信号あるいはテレビ方法信号が入力され、音声信号および映像信号を生成して出力するともに、制御部１０の制御に従ってラジオチューナ３１あるいはテレビチューナ３４を制御し、受信周波数の変更や、シーク動作を実行する信号処理制御部３５と、を備えている。ここで、シーク動作とは、予め設定された受信可能範囲を走査しながら受信強度を観測することにより、受信可能な放送局を探し出す動作であり、このシーク動作に基づいて、制御部１０は、記憶部１５のプリセットメモリ１５ｃに記憶した放送局リストを最新の状態に更新する。
ディスク再生部６０は、ＣＤ、ＤＶＤなどのディスク状記録媒体に読取光を照射して情報を再生し、音声信号及び映像信号を出力する。
【００１９】
また、ナビゲーションシステム１は、制御部１０、信号処理制御部３５あるいはディスク再生部６０から入力されるアナログ音声信号を増幅してスピーカー４２に出力し、スピーカー４２から音声を出力させる音声出力部４１と、制御部１０、ディスク再生部６０あるいは放送受信部３０（信号処理制御部３５）から入力される映像信号あるいは表示信号（表示情報）に基づいて表示パネル４４を駆動し、表示パネル４４に各種画面を表示させる表示制御部４３とを備えている。ナビゲーションシステム１は、携帯電話やＰＨＳ等の無線通信回線を介して各種情報を送受信する無線通信部４６を備えている。
【００２０】
制御部１０は、操作ボタン５１やタッチパネルの操作に従って、位置検出部２０によって検出した車両の現在位置に基づいて、記憶部１５に格納された経路案内データベース１５ａに基づいて車両の経路を求める処理を行い、求めた経路に従って経路案内動作を行う。この経路案内動作において、制御部１０は、経路案内データベース１５ａに格納された地図データに基づいて経路案内用の画面を表示するための表示情報を生成して表示制御部４３に出力するとともに、経路案内用の音声信号を生成して音声出力部４１に出力し、経路案内用の画面及び音声を、表示パネル４４及びスピーカー４２によって出力させる。
【００２１】
また、制御部１０は、受信制御部として機能し、操作ボタン５１の操作によりラジオ放送の受信が指示された場合には、信号処理制御部３５を制御して、指定された放送局に対応する受信周波数をセットしてラジオ放送を受信させる。
さらに、制御部１０は、本実施の形態による受信状態チェック部として機能することにより、ラジオチューナ３１およびテレビチューナ３３における受信状態の良否を定量化した受信レベルを監視する。
ラジオチューナ３１およびテレビチューナ３３の受信レベルは、各チューナ３１、３３がアナログ放送を受信する場合には、例えば、中間周波増幅回路から出力されるＡＧＣ電圧をもとに求めることができ、デジタル放送を受信する場合には、ＢＥＲ（ビット誤り率）をもとに求めることができる。
【００２２】
本実施の形態では、例えば、あるラジオ放送局からの放送電波を受信している際に、視聴者であるユーザが受信状態が悪くなったと感じて、ラジオ放送の受信をやめ、ユーザによる切り替えにより、ＣＤプレーヤやテレビなどの他の再生装置に切り替える等して、当該ラジオ放送の視聴をやめた場合、制御部１０が受信状態チェック部として機能し、切り替え前の当該ラジオ放送の受信状態をチェックする。
この際に、例えば、２つのチューナを備えることで、制御部１０が、現在再生のために受信を行っていない、いずれかのチューナを用いて、切り替え前に受信していた放送番組を放送していた放送局の放送電波の受信を行って受信状態のチェックを行う。
図４は、受信状態通知画面の一例の説明図である。
表示パネル４４に表示された表示画面には、経路案内を行うためのナビゲーション画面領域５２と、現在再生中のソースを表示する再生ソース表示領域５３と、前回受信していた放送局であって、受信状態が悪化した放送局（本実施形態では、放送番組Ａを放送していた放送局）について現在受信状態が回復し、受信状態が良好となった場合にその旨を表示する受信状態表示部５４と、を備えている。
【００２３】
次に実施形態の具体的な動作について説明する。
図２は、動作処理フローチャートである。
ここでは、ラジオまたはテレビの放送番組（例えば番組Ａ）を受信中に、ユーザ（視聴者）の切り替えにより、他のソースの再生、例えば記録媒体に予め記憶されたデータの再生（ＣＤ再生など）に切り替えた場合を例示している。
初期状態において、ラジオチューナ（あるいはテレビチューナ）を介してラジオ（あるいはテレビ）放送局の放送電波を受信して放送番組Ａを再生し、聴いていたものとする（ステップＳ１１）。
この状態において、制御部１０は、ユーザが放送番組Ａの再生から、他のソースの再生（ＣＤ再生など他のモード）に切り替えたか否かを判別する（ステップＳ１２）。
【００２４】
ステップＳ１２の判別において、ユーザが放送番組Ａの再生から他のソースの再生に切り替えていない場合には（ステップＳ１２；Ｎｏ）、そのまま処理を継続する。
ステップＳ１２の判別において、ユーザが放送番組Ａの再生から他のソースの再生に切り替えた場合に（ステップＳ１２；Ｙｅｓ）、制御部１０は、ラジオチューナ（あるいはテレビチューナ）が受信していた放送番組Ａを特定する情報（及び必要に応じて対応する放送局あるいは放送電波を特定するための情報）をメモリに記憶するとともに、ラジオチューナ（あるいはテレビチューナ）を制御して、放送番組Ａを放送していた放送局の放送電波を受信し、現在の受信状態を取得する（ステップＳ１３）。
続いて制御部１０は、ステップＳ１３で取得した放送局の受信状態が悪いか否かを判別し（ステップＳ１４）、受信状態が悪くない場合には処理を終了する。ステップＳ１２での他のモードへの切り替えは、放送Ａの受信状態とは無関係であったと判別できるからである。ステップＳ１４において、放送局の受信状態が悪いと判別すると、ステップＳ１２における他のモードへの切り替えが、放送Ａの受信状態と関係していたと判別し、メモリに放送Ａの周波数を記憶する（ステップＳ１５）。続いて放送番組Ａを放送していた放送局の放送電波に対応する放送局の放送電波の受信状態を通知するために、表示画面（受信状態表示部５４）に表示する（ステップＳ１６）。
【００２５】
図４の例の場合、ナビゲーション画面領域５２には、地図画面上に自車位置Ｐおよび案内経路Ｒが表示され、再生ソース表示領域５３には、現在再生中のソースがＣＤである旨が表示され、受信状態表示部５４には、前回受信していた放送番組Ａを放送していた放送局について現在受信状態が回復し、受信状態が良好となった旨を表示している。
この結果、ユーザは、再び放送番組Ａが聴取可能になったことを確認して、再度放送番組Ａの再生を行わせるべく操作を行って放送Ａを視聴することが可能となる。
【００２６】
この場合において、ユーザは、放送番組Ａについて視聴する意志があるが、当該放送番組を放送している放送局の他の番組を視聴する意志があるとは限らない。
そこで、このような場合を想定して、当該放送番組Ａの放送が終了した場合に、制御部１０は、当該放送番組Ａに対応する放送局の放送電波は受信状態のチェック対象から除外するように構成することが可能である。受信状態のチェック対象から除く場合は、（１）記憶した受信周波数を消去する。（２）受信感度が回復した場合であっても、回復したことをユーザに提示しない、例えば、回復したことを受信状態表示部５４に表示しない、などのように構成することが好ましい。
【００２７】
続いて制御部１０は、所定時間毎にラジオチューナ（あるいはテレビチューナ）を制御して、放送番組Ａを放送していた放送局の放送電波を受信し、受信状態を定期的に取得する（ステップＳ１７）。
次に制御部１０は、放送番組Ａを放送していた放送局の放送電波の受信状態が変化したか否か、すなわち、前回は受信状態が良好であったものが悪化したり、前回は受信状態が悪かったのに良好になったりした放送電波が存在するか否かを判別する（ステップＳ１８）。
【００２８】
ステップＳ１８の判別において、放送番組Ａに対応する放送電波受信状態が変化した放送電波が存在しない場合には（ステップＳ１８；Ｎｏ）、再び処理をステップＳ１７に移行し、以下、同様の処理を継続する。
ステップＳ１８の判別において、受信状態が変化した放送電波が存在する場合には（ステップＳ１８；Ｙｅｓ）、制御部１０は、受信状態表示部５４の表示画面を更新し、その時点で受信状態が良好であった放送局の放送電波について、その旨を受信状態表示部５４への表示により通知する（ステップＳ１９）。
続いてユーザが他のソースの再生（他のモード）から放送番組Ａへ切り替えたか否かが判別され（ステップＳ２０）、切り替えたと判別されれば（ステップＳ２０；Ｙｅｓ）、処理を終了し、切り替えたと判別されない場合には（ステップＳ２０；Ｎｏ）、ステップＳ１７に移行し、以下、同様の処理を継続する。
【００２９】
以上の説明では、前回受信していた放送番組Ａを放送していた放送局について現在受信状態が回復し、受信状態が良好となった旨を表示するものであったが、例えば、テレビとラジオのように放送電波の種類が異なる場合（別異の放送電波）の切り替えであれば、テレビ放送とラジオ放送について、切り替え前に受信していた放送番組を放送していた放送局について現在受信状態が回復し、受信状態が良好となった旨をそれぞれ表示するように構成することも可能である。
この場合において、切り替え前の放送電波の受信状態のチェックは、アクセサリ電源を遮断するまでの間でよい。例えばアクセサリ電源を遮断することで、上記記憶した受信周波数を消去する構成としてもよい。
【００３０】
図３は、別の実施の形態による動作処理フローチャートである。ここでは、第一のチューナと第二のチューナとが備えられている。例えば、ラジオ放送（あるいはテレビ放送）において、第一のチューナで放送番組Ａを受信中、ユーザにより、放送番組Ｂに切り替えられたとき、切り替え前に受信していた番組Ａを放送していた放送局について第二のチューナが受信状態の監視を継続し、現在受信状態が回復し、受信状態が良好となった旨を表示することが可能となる。
初期状態において、第一のチューナを介して放送番組Ａを再生し、聴いていたものとする（ステップＳ２１）。
この状態において、制御部１０は、ユーザが放送番組Ａの再生から、他の放送番組Ｂに切り替えたか否かを判別する（ステップＳ２２）。
【００３１】
ステップＳ２２の判別において、ユーザが放送番組Ａの再生から他の放送番組Ｂに切り替えていない場合には（ステップＳ２２；Ｎｏ）、そのまま処理を継続する。
ステップＳ２２の判別において、ユーザが放送番組Ａの再生から放送番組Ｂに切り替えた場合に（ステップＳ２２；Ｙｅｓ）、制御部１０は、第一のチューナが受信していた放送番組Ａを特定する情報（及び必要に応じて対応する放送局あるいは放送電波を特定するための情報）をメモリに記憶するとともに、第二のチューナを制御して、放送番組Ａを放送していた放送局の放送電波を受信し、現在の受信状態を取得する（ステップＳ２３）。
続いて制御部１０は、ステップＳ２３で取得した放送局の受信状態が悪いか否かを判別し（ステップＳ２４）、受信状態が悪くない場合には処理を終了する。ステップＳ２２での他のモードへの切り替えは、放送Ａの受信状態とは無関係であったと判別できるからである。ステップＳ２４において、放送局の受信状態が悪いと判別すると、ステップＳ２２における他のモードへの切り替えが、放送Ａの受信状態と関係していたと判別し、メモリに放送Ａの周波数を記憶する（ステップＳ２５）。続いて放送番組Ａを放送していた放送局の放送電波に対応する放送局の放送電波の受信状態を通知するために、表示画面（受信状態表示部５４）に表示する（ステップＳ２６）。
【００３２】
続いて制御部１０は、所定時間毎に第二のチューナを制御して、放送番組Ａを放送していた放送局の放送電波を受信し、受信状態を定期的に取得する（ステップＳ２７）。
次に制御部１０は、放送番組Ａを放送していた放送局の放送電波の受信状態が変化したか否か、すなわち、前回は受信状態が良好であったものが悪化したり、前回は受信状態が悪かったのに良好になったりした放送電波が存在するか否かを判別する（ステップＳ２８）。
【００３３】
ステップＳ２８の判別において、放送番組Ａに対応する放送電波受信状態が変化した放送電波が存在しない場合には（ステップＳ２８；Ｎｏ）、再び処理をステップＳ２７に移行し、以下、同様の処理を継続する。
ステップＳ２８の判別において、受信状態が変化した放送電波が存在する場合には（ステップＳ２８；Ｙｅｓ）、制御部１０は、受信状態表示部５４の表示画面を更新し、その時点で受信状態が良好であった放送局の放送電波について、その旨を受信状態表示部５４への表示により通知する（ステップＳ２９）。
続いてユーザが他のソースの再生（他のモード）から放送番組Ａへ切り替えたか否かが判別され（ステップＳ３０）、切り替えたと判別されれば（ステップＳ３０；Ｙｅｓ）、処理を終了し、切り替えたと判別されない場合には（ステップＳ３０；Ｎｏ）、ステップＳ２７に移行し、以下、同様の処理を継続する。
【００３４】
以上の説明においては、第一のチューナ、第二のチューナが共にラジオチューナであってもよく、あるいは共にテレビチューナであってもよく、あるいは第一のチューナがラジオチューナで、第二のチューナがテレビチューナであってもよい。
ユーザの再生指示によりラジオチューナによりラジオ放送局の放送電波を受信中である場合には、上述した受信状態をテレビチューナでチェックするようにしてもよい。
また、ラジオチューナあるいはテレビチューナが複数のチューナを搭載しており、各チューナが独立して動作可能な場合には、再生に関与していないチューナについて同様に受信状態をチェックするように構成することも可能である。
以上の説明は、切り替え前に放送番組を放送していた放送局について現在の受信状態をチェックする構成を採っていたが、それに加えてあらかじめユーザがプリセット登録した放送局についても受信状態をチェックして放送状態が良好な場合に表示を行うように構成することも可能である。例えば、よく聞く複数の放送局について現在の受信状態を表示するように構成することも可能である。
また、放送局毎に放送されている番組に関する情報（例えば、ＥＰＧなどの番組表）を取得し、切り替え前に放送電波を受信していた際に放送されていた番組の放送が終了した場合には、当該放送電波をチェック対象から除くようにしてもよい。
この構成によれば、受信を中断した同一の番組の放送が終了した場合には、チェック対象から外され、ユーザが継続して視聴したかったであろう放送についてのみ、現在の受信状態が通知されることとなるので、より利便性が向上する。
【００３５】
同様に、番組表を取得し、切り替え前に放送電波を受信していた際に放送されていた番組の放送が終了した場合には、受信状態チェック後の通知が禁止されるようにしてもよい。
この構成によれば、受信を中断した同一の番組の放送が終了した場合には、受信状態が回復しても、通知がされないので、ユーザが継続して視聴したかったであろう放送についてのみ、現在の受信状態が通知され、より利便性が向上する。
以上の説明のように、本実施形態によれば、ユーザが操作を行うことなく、放送電波を受信した際に受信状態が良好で、再生が確実に行える放送局の放送電波の状態を把握することができるので、ユーザの使い勝手が向上する。
【符号の説明】
【００３６】
１  ナビゲーションシステム
１０  制御部（受信状態チェック部）
１５  記憶部
２０  位置検出部
３０  放送受信部
４４  表示パネル
５０  操作部
６０  ディスク再生部
【図１】
2012109756.tif 000003
【図２】
2012109756.tif 000004
【図３】
2012109756.tif 000005
【図４】
2012109756.tif 000006